【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
第１画面に画像を投射して表示する第１表示手段と、
第２画面に画像を投射して表示する他の投射型表示装置または自装置から取得したデータに基づいて当該データの取得元の装置で発生した事象を特定する特定手段と、
前記特定手段が前記事象を特定した場合に、前記第１表示手段を制御して、前記第１画面内の所定の領域に、当該特定された事象に応じた画像を構成する第１構成画像及び第２構成画像のうちの当該第１構成画像を表示させる制御手段と、
前記第１画面及び前記第２画面の外縁を合わせたときに、前記第２構成画像が前記所定の領域と重なるように当該第２構成画像を前記他の投射型表示装置に表示させる制御信号を、前記特定手段が前記事象を特定した場合に出力する出力手段と
を備えることを特徴とする投射型表示装置。
【請求項２】
前記特定手段は、前記発生した事象に加え、当該事象が発生した投射型表示装置を特定し、
前記制御手段は、当該特定手段により特定された事象及び投射型表示装置に応じた画像を構成する前記第１構成画像を前記第１表示手段に表示させ、
前記出力手段は、前記特定手段により特定された事象及び投射型表示装置に応じた画像を構成する第２構成画像を前記他の投射型表示装置に表示させる制御信号を出力する
ことを特徴とする請求項１に記載の投射型表示装置。
【請求項３】
前記制御手段は、前記特定手段により特定された結果を表す画像を前記第１構成画像として前記第１表示手段に表示させ、
前記出力手段は、当該第１構成画像と同一の画像を前記第２構成画像として前記他の投射型表示装置に表示させる制御信号を出力する
ことを特徴とする請求項１または２に記載の投射型表示装置。
【請求項４】
前記制御手段は、前記第１構成画像を所定の色で表示させ、
前記出力手段は、前記特定手段により特定された結果を前記所定の色に対して識別可能な色で表す前記第２構成画像を表示させる制御信号を出力する
ことを特徴とする請求項１または２に記載の投射型表示装置。
【請求項５】
前記制御手段は、前記特定手段により特定された結果を所定の色に対して識別可能な色で表す前記第１構成画像を表示させ、
前記出力手段は、前記第２構成画像を前記所定の色で表示させる制御信号を出力する
ことを特徴とする請求項１または２に記載の投射型表示装置。
【請求項６】
前記他の投写型表示装置は、当該他の投射型表示装置において事象が発生した場合に当該事象を示すデータを自装置に送信し、
前記特定手段は、前記他の投写型表示装置から受信した前記データによって示される事象を、当該他の投写型表示装置で発生した事象として特定する
ことを特徴とする請求項１乃至５のいずれか１項に記載の投射型表示装置。
【請求項７】
請求項６に記載の投射型表示装置である第１投写型表示装置と、
画像を投射して表示する第２表示手段と、自装置において事象が発生した場合に当該事象を示すデータを前記第１投写型表示装置に送信する送信手段とを備える第２投射型表示装置と
を具備することを特徴とする表示システム。
【請求項８】
第１画面に画像を投射して表示する表示手段を備える第１投射型表示装置が、第２画面に画像を投射して表示する第２投射型表示装置または自装置から取得したデータに基づいて当該データの取得元の装置で発生した事象を特定する特定ステップと、
前記第１投射型表示装置が、前記特定ステップにおいて前記事象が特定された場合に、前記表示手段を制御して、前記第１画面内の所定の領域に、当該特定された事象に応じた画像を構成する第１構成画像及び第２構成画像のうちの当該第１構成画像を表示させる制御ステップと、
前記第１投射型表示装置が、前記第１画面及び前記第２画面の外縁を合わせたとき、前記第２構成画像が前記所定の領域と重なるように当該第２構成画像を前記第２投射型表示装置に表示させる制御信号を、前記特定ステップにおいて前記事象が特定された場合に出力する出力ステップと
を備えることを特徴とする表示方法。
【手続補正２】
【補正対象書類名】明細書
【補正対象項目名】０００５
【補正方法】変更
【補正の内容】
【０００５】
上記目的を達成するために、本発明に係る投射型表示装置は、第１画面に画像を投射して表示する第１表示手段と、第２画面に画像を投射して表示する他の投射型表示装置または自装置から取得したデータに基づいて当該データの取得元の装置で発生した事象を特定する特定手段と、前記特定手段が前記事象を特定した場合に、前記第１表示手段を制御して、前記第１画面内の所定の領域に、当該特定された事象に応じた画像を構成する第１構成画像及び第２構成画像のうちの当該第１構成画像を表示させる制御手段と、前記第１画面及び前記第２画面の外縁を合わせたときに、前記第２構成画像が前記所定の領域と重なるように当該第２構成画像を前記他の投射型表示装置に表示させる制御信号を、前記特定手段が前記事象を特定した場合に出力する出力手段とを備えることを特徴とする。
本発明によれば、自装置及び他の投射型表示装置、すなわち複数の投射型表示装置がそれぞれ投射する画像を重ねて表示するシステムをユーザーが利用する場合に、第１構成画像及び第２構成画像が互い以外の他の画像と入り交じることがない。このため、これらの装置で発生した事象をそのユーザーに確実に伝えることができる。
【手続補正３】
【補正対象書類名】明細書
【補正対象項目名】０００６
【補正方法】変更
【補正の内容】
【０００６】
好ましい態様において、前記特定手段は、前記発生した事象に加え、当該事象が発生した投射型表示装置を特定し、前記制御手段は、当該特定手段により特定された事象及び投射型表示装置に応じた画像を構成する前記第１構成画像を前記第１表示手段に表示させ、前記出力手段は、前記特定手段により特定された事象及び投射型表示装置に応じた画像を構成する第２構成画像を前記他の投射型表示装置に表示させる制御信号を出力する。
この態様によれば、複数の投射型表示装置で発生した事象を、その事象が発生した装置とともに、ユーザーに確実に伝えることができる。
【手続補正４】
【補正対象書類名】明細書
【補正対象項目名】００１３
【補正方法】変更
【補正の内容】
【００１３】
［実施形態］  以下、本発明の実施形態について図面を参照して説明する。
図１は、実施形態の表示システム１の外観を示す図である。表示システム１は、コマンダー（マスター）１０と、スレーブ２０と、通信線３０とを備える。コマンダー１０及びスレーブ２０は、画像を投射して表示する投写型表示装置（いわゆるプロジェクター）である。通信線３０は、両端にコネクター３１０及び３２０をそれぞれ有する。コネクター３１０はコマンダー１０に接続され、コネクター３２０はスレーブ２０に接続されている。このように、コマンダー１０及びスレーブ２０は、いずれも通信線３０が接続されており、通信線３０を介して互いに通信することができるようになっている。また、コマンダー１０及びスレーブ２０は、ケーブル４０及び５０をそれぞれ介してＰＣ（Personal computer：パーソナルコンピュータ。ノート型でもタブレット型でもよい。）２と接続されている。ケーブル４０は、一方の端部にコネクター４１０を有し、このコネクター４１０がコマンダー１０に接続されている。また、ケーブル５０は、一方の端部にコネクター５１０を有し、このコネクター５１０がスレーブ２０に接続されている。なお、コマンダー１０及びスレーブ２０とＰＣ２との接続は、ハブを介してもよいし、一方のプロジェクターを介して他方が接続されるいわゆるカスケード接続であってもよい。
【手続補正５】
【補正対象書類名】明細書
【補正対象項目名】００３０
【補正方法】変更
【補正の内容】
【００３０】
図５は、通知処理においてコマンダー１０及びスレーブ２０が行う動作の一例を示すシーケンスチャートである。コマンダー１０及びスレーブ２０は、例えば、スタック表示モードとなるように設定されたタイミングや、スタック表示モードに設定された状態で起動したタイミングで、通知処理を開始する。まず、コマンダー１０は、自装置またはスレーブ２０で要通知事象が発生したか否かを判断する（ステップＳ１０）。コマンダー１０は、ステップＳ１０でＮＯと判断した場合、ステップＳ１０の処理を再び行う。つまり、コマンダー１０は、ステップＳ１０における判断がＮＯである間、すなわち要通知事象が発生したと判断するまでの間は、ステップＳ１０の処理を所定の間隔（例えば１秒毎）で繰り返し実行する。
【手続補正６】
【補正対象書類名】明細書
【補正対象項目名】００３８
【補正方法】変更
【補正の内容】
【００３８】
また、プロジェクターが特定した要通知事象及び装置を、リモート接続された管理用の装置に表示するようにして遠隔地にいる管理者に伝えるようにしたシステムが用いられる場合がある。その場合、通知された内容は管理者しか分からないため、管理者から連絡があるか、管理者が現地に行くかしないと、プロジェクターから通知された内容が表示システム１を利用しているユーザーに伝わらないことになる。ここでいう表示システム１を利用しているユーザーとは、表示領域４に表示されている画像を見ているユーザーのことである。本実施形態では、コマンダー１０が自装置及びスレーブ２０を制御することで、図６（ｄ）に示すようなＯＳＤ画像Ａ３が表示領域４に表示される。これにより、コマンダー１０は、特定した要通知事象及び装置を、表示領域４を見ているユーザー、すなわち、表示システム１を利用しているユーザーに確実に通知することができる。この通知をされたユーザーは、その場で発生した要通知事象の内容及びどのプロジェクターでそれが発生したかということを把握することになる。このため、ユーザーは、発生した要通知事象に対応して何らかの処置を行うか、そのまま継続して使用するかという判断をその場で行うことができる。そして、ユーザーが何らかの処置を行った場合、そのまま使用し続けたときに生じる異常が発生することがなくなり、そのような異常が発生してプロジェクターが使用できなくなることもなくなる。このように、コマンダー１０は、表示システム１の可用性を高める、すなわち、ユーザーにより利用される時間を増やすことできる。
【手続補正７】
【補正対象書類名】明細書
【補正対象項目名】００４８
【補正方法】変更
【補正の内容】
【００４８】
図９は、本変形例においてＯＳＤ画像領域Ｂ１に表示されるＯＳＤ画像の一例を示す図である。図９（ａ）では第１ＯＳＤ画像Ａ７が示され、図９（ｂ）では第２ＯＳＤ画像Ａ８が示されている。第１ＯＳＤ画像Ａ７は、画像Ａ１１と同様の長方形の画像Ａ７１と、「コマンダー」とう文字列を表す画像Ａ７２とを有する。第２ＯＳＤ画像Ａ８は、画像Ａ１１と同様の長方形の画像Ａ８１と、「でランプの寿命が近づいています。交換してください。」とう文字列を表す画像Ａ８２とを有する。これらのＯＳＤ画像がＯＳＤ画像領域Ｂ１に投射されると、図７（ｃ）に示すＯＳＤ画像Ａ５が表示されることになる。この場合、画像Ａ７２及びＡ８２が上述した通知部分となり、画像Ａ７１及びＡ８１が背景部分となる。このように、本変形例に係るコマンダー１０は、画像Ａ７２及びＡ８２のような文字列を表す画像を組み合わせて表示させることで、ステップＳ１３において特定された結果を表している。つまり、コマンダー１０は、文字列を表す画像のうち、内容が共通する部分は１つの画像データを共有することができる。これにより、コマンダー１０は、本変形例のように画像を組み合わせて表示させない場合に比べて、記憶部１２０に記憶させておく画像データの量を少なくすることができる。